(57)【特許請求の範囲】
【請求項１】
エンジンがエンジンカバーで覆われ、前記エンジンカバーの上両側に空気を導入可能な一対の開口部が設けられ、前記一対の開口部から前記エンジンカバーの内部に吸い込んだ空気をスロットルボディに導入可能な船外機の吸気装置であって、
前記エンジンカバーの内部に設けられるとともに、前記一対の開口部に連通され、前記一対の開口部から導かれた空気を前記スロットルボディまで案内する吸気通路と、
前記吸気通路の途中に設けられ、吸気音を減少させる干渉型消音器と、を備え、
前記吸気通路は、
前記一対の開口部のうち、一方の開口部から前記スロットルボディまで空気を案内する一方の吸気通路と、
前記一対の開口部のうち、他方の開口部から前記スロットルボディまで空気を案内する他方の吸気通路と、を備え、
前記干渉型消音器は、
前記一方の吸気通路の途中に設けられる一方の干渉型消音器と、
前記他方の吸気通路の途中に設けられる他方の干渉型消音器と、からなる一対の干渉型消音器を備え、
前記一方の干渉型消音器は、
前記一方の吸気通路に対して略直交する一方の直交中空部と、前記一方の吸気通路に沿って延出される一方の平行中空部と、を有し、各中空部で平面視略Ｌ字状に形成され、
前記他方の干渉型消音器は、
前記他方の吸気通路に対して略直交する他方の直交中空部と、前記他方の吸気通路に沿って延出される他方の平行中空部と、を有し、各中空部で前記一方の干渉型消音器に対して左右対称となるように平面視略Ｌ字状に形成され、
前記一方の平行中空部および前記他方の平行中空部が互いに平行に接触された状態で前記一対の干渉型消音器が平面視略Ｔ字状に一体に形成され、該一対の干渉型消音器が前記スロットルボディの上両側に配設されることを特徴とする船外機の吸気装置。
【発明の詳細な説明】
【技術分野】
【０００１】
本発明は、エンジンカバーの内部にエンジンが設けられ、エンジンカバーの開口部からエンジンカバーの内部に吸い込んだ空気をスロットルボディに導入可能な船外機の吸気装置に関する。
【背景技術】
【０００２】
船外機の吸気装置のなかには、エンジンの上方を覆うエンジンカバーに吸気ダクトを備え、吸気ダクトの入口が吸気室に開口され、吸気ダクトの出口が空気取入管に開口されたものがある。
吸気室はエンジンカバーの吸気口を経てエンジンカバーの外部に連通されている。
空気取入管はスロットルボディ（スロットルバルブ）に連通されている。
【０００３】
この船外機の吸気装置によれば、エンジンカバーの吸気口から吸気室に空気を吸い込み、吸気室に吸い込んだ空気を入口から吸気ダクトに吸い込むことができる。
吸気ダクトに吸い込んだ空気を、吸気ダクトの出口を経て空気取入管に吸い込み、空気取入管に吸い込まれた空気をスロットルボディに吸い込むことができる（例えば、特許文献１参照。）。
【先行技術文献】
【特許文献】
【０００４】
【特許文献１】特許第３６０８６３７号公報
【発明の概要】
【発明が解決しようとする課題】
【０００５】
ところで、特許文献１の船外機の吸気装置は、船外機が船体に取り付けられた状態において、エンジンカバーの吸気口が横側を向いて設けられている。
よって、エンジンの駆動時に吸気脈動や衝撃波にともなって吸気音が発生した際に、発生した吸気音は、吸気ダクトを経てエンジンカバーの吸気口から横向きに伝えられる。
このように、吸気音を横向きに伝えられることで吸気音を船体側に伝わり難くすることができる。
しかし、吸気音を横向きに伝える方法では吸気音を充分に低減させることが難しい。
【０００６】
本発明は、吸気音を充分に低減することができる船外機の吸気装置を提供することを課題とする。
【課題を解決するための手段】
【０００７】
請求項１に係る発明は、エンジンがエンジンカバーで覆われ、前記エンジンカバーの上両側に空気を導入可能な一対の開口部が設けられ、前記一対の開口部から前記エンジンカバーの内部に吸い込んだ空気をスロットルボディに導入可能な船外機の吸気装置であって、前記エンジンカバーの内部に設けられるとともに、前記一対の開口部に連通され、前記一対の開口部から導かれた空気を前記スロットルボディまで案内する吸気通路と、前記吸気通路の途中に設けられ、吸気音を減少させる干渉型消音器と、を備え、前記吸気通路は、前記一対の開口部のうち、一方の開口部から前記スロットルボディまで空気を案内する一方の吸気通路と、前記一対の開口部のうち、他方の開口部から前記スロットルボディまで空気を案内する他方の吸気通路と、を備え、前記干渉型消音器は、前記一方の吸気通路の途中に設けられる一方の干渉型消音器と、前記他方の吸気通路の途中に設けられる他方の干渉型消音器と、からなる一対の干渉型消音器を備え、前記一方の干渉型消音器は、前記一方の吸気通路に対して略直交する一方の直交中空部と、前記一方の吸気通路に沿って延出される一方の平行中空部と、を有し、各中空部で平面視略Ｌ字状に形成され、前記他方の干渉型消音器は、前記他方の吸気通路に対して略直交する他方の直交中空部と、前記他方の吸気通路に沿って延出される他方の平行中空部と、を有し、各中空部で前記一方の干渉型消音器に対して左右対称となるように平面視略Ｌ字状に形成され、前記一方の平行中空部および前記他方の平行中空部が互いに平行に接触された状態で前記一対の干渉型消音器が平面視略Ｔ字状に一体に形成され、該一対の干渉型消音器が前記スロットルボディの上両側に配設されることを特徴とする。
【発明の効果】
【０００９】
請求項１に係る発明では、エンジンカバーの上両側に一対の開口部を設け、一対の開口部からスロットルボディまで延びる吸気通路として、一方の吸気通路と他方の吸気通路とを備えた。さらに、一方の吸気通路の途中に一方の干渉型消音器（サイドブランチ）を設け、他方の吸気通路の途中に他方の干渉型消音器（サイドブランチ）を設けた。
一方の干渉型消音器および他方の干渉型消音器は、音波を分岐させ、分岐させた音波を分岐前の音波と干渉させて吸気音を低減させるもので、その特性上、特定の周波数帯域を減衰させることが可能である。
【００１０】
よって、一方の吸気通路の途中に一方の干渉型消音器を設け、他方の吸気通路の途中にに他方の干渉型消音器を設けることで、排気音のうち、特に大きな音圧が発生する吸気音の周波数帯域を一対の干渉型消音器で減衰させることが可能になる。
これにより、エンジンの駆動時に吸気脈動や衝撃波にともなって吸気音が発生した際に、一対の干渉型消音器で吸気音を充分に低減することができる。
【００１１】
ここで、一対の干渉型消音器（サイドブランチ）は、音波を分岐させるための管であり、その構造上、形状の選択に自由度を持たせることが可能である。
例えば、一対の干渉型消音器の形状を、配置箇所に合わせて直線状やＬ字状などに形成することが可能である。
【００１２】
また、船外機は、通常、エンジンカバーの上部とスロットルボディとの間に空き空間（デッドスペース）が存在する。
この空き空間は、平面視略矩形状に形成されている。
【００１３】
そこで、請求項１において、一対の干渉型消音器を左右対称の略Ｌ字状に形成して、一対の干渉型消音器の外形寸法を小さく抑える（すなわち、外形を小さくまとめる）ことにより一対の干渉型消音器を空き空間に配置可能とした。
これにより、一対の干渉型消音器を設けるための空間を、エンジンカバーの内部に新たに確保する必要がないので船外機の小型化を図ることができる。
【００１４】
加えて、一対の干渉型消音器を略Ｌ字状に形成することで、一対の干渉型消音器の外形寸法を小さく抑えた状態（すなわち、外形を小さくまとめた状態）で、一対の干渉型消音器として必要な全長を確保できる。
これにより、排気音のうち、特に大きな音圧が発生する吸気音の周波数帯域に合わせて、一対の干渉型消音器として必要な全長を確保できるので、一対の干渉型消音器で吸気音を充分に低減することができる。
【００１６】
さらに、請求項１に係る発明では、一対の干渉型消音器を左右対称の略Ｌ字状とし、かつ一方の干渉型消音器の平行中空部と他方の干渉型消音器の平行中空部とを一体に形成することにより、一対の干渉型消音器が平面視略Ｔ字状に形成される。すなわち、一対の干渉型消音器の全体形状が平面視略矩形状に形成される。
これにより、一体に形成された一対の干渉型消音器は、一方の平行中空部および他方の平行中空部の幅寸法が小さく抑えられている。さらに、一体に形成された一対の干渉型消音器は、略Ｌ字状に形成されることにより外形寸法が小さく抑えられている（すなわち、外形が小さくまとめられている）。
【００１７】
よって、一対の干渉型消音器をスロットルボディの上両側に設けることで、一対の干渉型消音器を空き空間を利用して配置することができる。
これにより、一対の干渉型消音器を設けるための空間を、エンジンカバーの内部に新たに確保する必要がないので船外機の小型化を図ることができる。
【図面の簡単な説明】
【００１９】
【図１】本発明に係る吸気装置を備えた船外機を示す側面図である。
【図２】図１の船外機を示す斜視図である。
【図３】図２の３−３線断面図である。
【図４】図３の船外機のうちエンジンカバーを想像線で示す斜視図である。
【図５】図３の船外機を分解した状態を示す斜視図である。
【図６】図１の６−６線断面図である。
【図７】図１の７−７線断面図である。
【図８】本発明に係る船外機の吸気装置でエンジンカバーの外部から吸い込んだ空気をサイレンサに導く例を説明する図である。
【図９】本発明に係る船外機の吸気装置でサイレンサに導かれた空気をエンジンに導く例を説明する図である。
【図１０】本発明に係る船外機の吸気装置で吸気音を低減する例を説明する図である。
【発明を実施するための形態】
【００２０】
本発明を実施するための最良の形態を添付図に基づいて以下に説明する。
【実施例】
【００２１】
実施例に係る船外機の吸気装置５２について説明する。
図１に示すように、船外機１０は、船外機本体１２と、船外機本体１２に設けられて船体１４（具体的には、船尾１５）に着脱可能な取付手段１６とを備えている。
取付手段１６は、船外機本体１２を左右方向（水平方向）に揺動可能なスイベル軸１７と、船外機本体１２を上下方向に揺動可能なチルト軸１８とを備えている。
【００２２】
船外機本体１２は、取付手段１６に設けられたマウントケース２１と、マウントケース２１の上部に搭載されたエンジン２３と、エンジン２３を覆うエンジンカバー２４と、エンジン２３のクランク軸２７に同軸上に連結された駆動軸２８と、駆動軸２８を介してエンジン２３（クランク軸２７）の回転が伝達されるギヤ機構２９と、ギヤ機構２９の回転がプロペラ軸３１を介して伝達されるプロペラ３２とを備えている。
【００２３】
さらに、船外機本体１２は、エンジンカバー２４内の空気（内気）を外部３５に排出する排気手段（換気手段）５１と、エンジンカバー２４の外部３５からエンジン２３に空気（外気）を案内する吸気装置（船外機の吸気装置）５２とを備えている。
【００２４】
駆動軸２８は、マウントケース２１の下側に設けられたエクステンションケース３３で覆われている。
ギヤ機構２９およびプロペラ軸３１は、エクステンションケース３３の下側に設けられたギヤケース３４で覆われている。
【００２５】
エンジン２３は、エンジン本体を構成するシリンダブロック３６、ヘッドカバー３７、クランク軸２７、シリンダ３８およびピストン３９などを備え、さらに、エンジン２３の補機類４１を備えている。
【００２６】
この船外機１０によれば、エンジン２３を駆動することで、エンジン２３の回転が駆動軸２８、ギヤ機構２９、プロペラ軸３１を経てプロペラ３２に伝達され、プロペラ３２が回転して船体１４が滑走する。
【００２７】
図２に示すように、エンジンカバー２４は、上部２４ａに排気開口部２５が設けられ、上両側部２４ｂに一対の吸気開口部（開口部）２６が設けられている。
一対の吸気開口部２６のうち、他方の吸気開口部（奥側の吸気開口部）２６は図４に示す。
【００２８】
図３に示すように、エンジン２３の補機類４１は、エンジン２３の燃焼室に連通されたスロットルボディ４２と、スロットルボディ４２の反対側に設けられた発電機４３と、発電機４３およびスロットルボディ４２間に設けられた排気ファン４４とを備えている。
【００２９】
発電機４３の従動プーリ４７および駆動プーリ４８に駆動ベルト４９が回巻されている。駆動プーリ４８はクランク軸２７の上端部２７ａに設けられている。
よって、クランク軸２７が回転することにより駆動プーリ４８が回転する。駆動プーリ４８の回転が駆動ベルト４９を介して従動プーリ４７に伝えられる。従動プーリ４７が回転することにより発電機４３が駆動する。
【００３０】
排気手段５１は、駆動プーリ４８の上部に同軸上に設けられた排気ファン４４と、駆動ベルト４９の上方を覆うベルトカバー５５と、ベルトカバー５５の上方に設けられたファンカバー５６と、エンジンカバー２４内の空気を外部に案内する排気通路５７とを備えている。
排気ファン４４は、排気ファン室５８に収容され、駆動プーリ４８の上部に同軸上に設けられている。
よって、駆動プーリ４８が回転することにより排気ファン４４が回転される。
【００３１】
ファンカバー５６の前部に、排気ファン室５８を排気通路５７に連通する排気口５９が形成されている。
排気通路５７は、エンジンカバー２４の上部２４ａおよびエアガイド６１の前半部６１ａでエンジンカバー２４の上部２４ａに沿って設けられている。
エアガイド６１は、エンジンカバー２４の上部２４ａに沿って設けられている。
【００３２】
この排気通路５７は、排気開口部２５を経てエンジンカバー２４の外部３５に連通されている。排気開口部２５は、前述したようにエンジンカバー２４の上部２４ａに形成されている。
すなわち、排気ファン室５８は、排気口５９、排気通路５７および排気開口部２５を経てエンジンカバー２４の外部３５に連通されている。
【００３３】
よって、排気ファン４４を回転することにより、排気ファン室５８の空気が排気口５９、排気通路５７および排気開口部２５を経てエンジンカバー２４の外部３５に排出される。
排気ファン室５８の空気がエンジンカバー２４の外部３５に排出されることで、エンジンカバー２４内の空気が排気ファン室５８を経てエンジンカバー２４の外部３５に排出される。
【００３４】
図４、図５に示すように、船外機の吸気装置５２は、エンジンカバー２４の上両側部２４ｂ（図２参照）に設けられた一対の吸気開口部２６と、一対の吸気開口部２６に各々連通された一対の吸気通路７１と、一対の吸気通路７１の途中に各々設けられた一対の干渉型消音器７３と、一対の干渉型消音器７３の下流側で、かつスロットルボディ４２の上流側に設けられたサイレンサ８１とを備えている。
【００３５】
一対の吸気開口部２６は、前述したように、エンジンカバー２４の上両側部２４ｂに各々設けられ、左右対称に形成された部位である。
以下、一対の吸気開口部２６のうち、右側の吸気開口部を右吸気開口部２６Ａ、左側の吸気開口部を左吸気開口部２６Ｂとして説明する。
【００３６】
一対の吸気通路７１は、エンジンカバー２４、エアガイド６１およびリヤダクト６７などで形成されることにより、エンジンカバー２４内において上両側の空間６８（図３も参照）に設けられている。
また、一対の吸気通路７１は、各々の通路が矢印で示すように形成され、エンジンカバー２４の一対の吸気開口部２６から導かれた空気をスロットルボディ４２に各々案内可能に形成されている。
以下、一対の吸気通路７１のうち、右側の吸気通路を右吸気通路７１Ａ、左側の吸気通路を左吸気通路７１Ｂとして説明する。
【００３７】
ここで、図６に示すように、右吸気通路７１Ａおよび左吸気通路７１Ｂは、各々の下流側通路が一体に形成されて下流側吸気通路７１Ｃとなる。
右吸気通路７１Ａおよび左吸気通路７１Ｂのうち一体に形成された下流側吸気通路７１Ｃで、サイレンサ８１およびスロットルボディ４２間が連通されている。
【００３８】
図４、図５に示すように、右吸気通路７１Ａは、船外機１０の右側に設けられ、右吸気開口部２６Ａからスロットルボディ４２（図６も参照）まで空気を案内する通路である。
右吸気通路７１Ａの途中に、一対の干渉型消音器７３の右干渉型消音器７３Ａと、サイレンサ８１とが連通されている。
右干渉型消音器７３Ａの下流側にサイレンサ８１が設けられている。
【００３９】
左吸気通路７１Ｂは、船外機１０の左側に設けられることで右吸気通路７１Ａに対して左右対称に形成され、左吸気開口部２６Ｂからスロットルボディ４２（図６も参照）まで空気を案内する通路である。
左吸気通路７１Ｂの途中に、一対の干渉型消音器７３の左干渉型消音器７３Ｂと、サイレンサ８１とが連通されている。
左干渉型消音器７３Ｂの下流側にサイレンサ８１が設けられている。
すなわち、サイレンサ８１は、右吸気通路７１Ａおよび左吸気通路７１Ｂの両方に用いられている（兼用されている）。
【００４０】
よって、エンジン２３の駆動時に吸気脈動や衝撃波にともなって吸気音が発生した際に、発生した吸気音をサイレンサ８１および左右の干渉型消音器７３Ａ，７３Ｂで低減することができる。
なお、左右の干渉型消音器７３Ａ，７３Ｂおよびサイレンサ８１については後で詳しく説明する。
【００４１】
図３、図５に示すように、エアガイド６１は、ファンカバー５６およびリヤダクト６７の上側に配置されるとともに、エンジンカバー２４の上部２４ａの裏面側に設けられている。
【００４２】
このエアガイド６１は、ファンカバー５６およびリヤダクト６７を覆うガイド底部６２と、ガイド底部６２の前端部に設けられた通路入口６３と、ガイド底部６２の後端部に設けられた吸気ガイド部６４とを備えている。
さらに、エアガイド６１は、ガイド底部６２の右側部に設けられた複数の右ガイドプレート６５と、ガイド底部６２の左側部に設けられた複数の左ガイドプレート６６とを備えている。
【００４３】
通路入口６３は、排気通路５７の前端部に設けられ、排気通路５７の入口を形成する部位である。
排気通路５７は、後端部が排気開口部２５に連通されている。
よって、前述したように、排気ファン４４を回転することにより、排気ファン室５８の空気が排気口５９、排気通路５７および排気開口部２５を経てエンジンカバー２４の外部３５に排出される。
【００４４】
複数の右ガイドプレート６５は、エンジンカバー２４の右吸気開口部２６Ａ（図４参照）に対向する位置に設けられている。
右吸気開口部２６Ａに対向させて複数の右ガイドプレート６５を設けることで、右吸気開口部２６Ａからエンジンカバー２４内に空気を導く際に、空気を案内するとともに空気から水を分離することができる。
【００４５】
複数の左ガイドプレート６６は、エンジンカバー２４の左吸気開口部２６Ｂ（図４参照）に対向する位置に設けられている。
左吸気開口部２６Ｂに対向させて複数の左ガイドプレート６６を設けることで、左吸気開口部２６Ｂからエンジンカバー２４内に空気を導く際に、空気を案内するとともに空気から水を分離することができる。
【００４６】
リヤダクト６７は、エアガイド６１の後半部６１ｂの下方に設けられ、吸気ガイド部６４に連通する案内口８７と、案内口８７の右側に設けられた右サイドガイド部８８と、案内口８７の左側に設けられた左サイドガイド部８９とを備えている。
右サイドガイド部８８は、案内口８７からサイレンサ８１の右入口８１ａまで形成されている。
左サイドガイド部８９は、案内口８７からサイレンサ８１の左入口８１ｂまで形成されている。
【００４７】
図５、図７に示すように、一対の干渉型消音器７３は、一対の吸気通路７１の途中に各々連通され、エンジンカバー２４内において上両側の空間６８（図３も参照）に設けられたサイドブランチである。
一対の干渉型消音器７３は、各々の形状が平面視略Ｌ字状に形成され、かつ各々が一体に形成されている。
一対の干渉型消音器７３が一体に形成された状態でスロットルボディ４２の上両側に配設されている。
【００４８】
以下、一対の干渉型消音器７３のうち、右側の干渉型消音器（以下、右干渉型消音器という）を７３Ａ、左側の干渉型消音器（以下、左干渉型消音器という）を７３Ｂとして説明する。
【００４９】
右干渉型消音器７３Ａは、右直交中空部７４および右平行中空部７５を有し、各部７４，７５が断面略矩形枠状に形成された中空部材である。
右直交中空部７４および右平行中空部７５は、右干渉型消音器７３Ａが全長Ｌ１になるように平面視略Ｌ字状に形成されている。
右干渉型消音器７３Ａを平面視略Ｌ字状に形成することで、右干渉型消音器７３Ａの外形寸法Ｌ２を小さく抑えた状態（すなわち、外形を小さくまとめた状態）で、右干渉型消音器７３Ａとして必要な全長Ｌ１を確保できる。
【００５０】
よって、排気音のうち、特に大きな音圧が発生する吸気音の周波数帯域に合わせて、右干渉型消音器７３Ａとして必要な全長を確保できる。
これにより、右干渉型消音器７３Ａで吸気音を充分に低減することができる。
【００５１】
右直交中空部７４は、右吸気通路７１Ａに対して略直交するように設けられ、右吸気通路７１Ａに対向する右対向端部７４ａが開口されている。
右平行中空部７５は、右直交中空部７４の奥側端部７４ｂから右吸気通路７１Ａに沿って前側に向けて延出され、右前端部７５ａが閉塞されている。
すなわち、右干渉型消音器７３Ａは、エンジン２３の駆動時に吸気脈動や衝撃波にともなって発生した吸気音を減少可能なサイドブランチである。
【００５２】
右吸気通路７１Ａに対向する右対向端部７４ａを開口することで、右干渉型消音器７３Ａが右吸気通路７１Ａ、サイレンサ８１、スロットルボディ４２（図６参照）を経てエンジン２３（図６参照）の燃焼室に連通されている。
【００５３】
左干渉型消音器７３Ｂは、右干渉型消音器７３Ａに対して左右対称となるように、左直交中空部７６および左平行中空部７７が断面略矩形枠状に形成された中空部材である。
左直交中空部７６および左平行中空部７７は、左干渉型消音器７３Ｂが全長Ｌ１になるように平面視略Ｌ字状に形成されている。
左干渉型消音器７３Ｂを平面視略Ｌ字状に形成することで、左干渉型消音器７３Ｂの外形寸法Ｌ２を小さく抑えた状態（すなわち、外形を小さくまとめた状態）で、左干渉型消音器７３Ｂとして必要な全長Ｌ１を確保できる。
【００５４】
よって、排気音のうち、特に大きな音圧が発生する吸気音の周波数帯域に合わせて、左干渉型消音器７３Ｂとして必要な全長を確保できる。
これにより、左干渉型消音器７３Ｂで吸気音を充分に低減することができる。
【００５５】
左直交中空部７６は、左吸気通路７１Ｂに対して略直交するように設けられ、左吸気通路７１Ｂに対向する左対向端部７６ａが開口されている。
左平行中空部７７は、左直交中空部７６の奥側端部７６ｂから左吸気通路７１Ｂに沿って前側に向けて延出され、左前端部７７ａが閉塞されている。
すなわち、左干渉型消音器７３Ｂは、エンジン２３の駆動時に吸気脈動や衝撃波にともなって発生した吸気音を減少可能なサイドブランチである。
【００５６】
左吸気通路７１Ｂに対向する左対向端部７６ａを開口することで、左干渉型消音器７３Ｂが左吸気通路７１Ｂ、サイレンサ８１、スロットルボディ４２（図６参照）を経てエンジン２３（図６参照）の燃焼室に連通されている。
【００５７】
図６、図７に示すように、右吸気通路７１Ａの途中に右干渉型消音器７３Ａが設けられ、左吸気通路７１Ｂの途中に左干渉型消音器７３Ｂが設けられている。
よって、エンジン２３（燃焼室）から発生した吸気音が、スロットルボディ４２を経てサイレンサ８１に矢印（破線で示す）の如く伝えられる。
以下、図中において吸気音の伝達方向を破線の矢印で示す。
【００５８】
サイレンサ８１に伝えられた吸気音は、サイレンサ８１の右開口８５および右入口８１ａを経て右吸気通路７１Ａに伝えられるとともに、サイレンサ８１の左開口８６および左入口８１ｂを経て左吸気通路７１Ｂに伝えられる。
右吸気通路７１Ａに伝えられた吸気音は、右吸気通路７１Ａを経て右直交中空部７４および右平行中空部７５に矢印の如く伝えられる。
【００５９】
右平行中空部７５に伝えられた吸気音は、右前端部７５ａで伝えられる方向が矢印の如く逆向きに変えられる。
右干渉型消音器７３Ａで逆向きに変えられた吸気音は、サイレンサ８１の右入口８１ａから右干渉型消音器７３Ａの上流側に直接伝えられた吸気音に干渉位置Ｐ１で干渉する。
【００６０】
ここで、右干渉型消音器７３Ａで逆向きに変えられた吸気音（以下、逆向きの吸気音という）は、干渉位置Ｐ１において、サイレンサ８１の右入口８１ａから右干渉型消音器７３Ａの上流側に直接導かれた吸気音に対して周波数の位相が反転されている。
【００６１】
さらに、左吸気通路７１Ｂに伝えられた吸気音は、左吸気通路７１Ｂを経て左直交中空部７６および左平行中空部７７に矢印の如く伝えられる。
左平行中空部７７に伝えられた吸気音は、左前端部７７ａで伝えられる方向が矢印の如く逆向きに変えられる。
左干渉型消音器７３Ｂで逆向きに変えられた吸気音は、サイレンサ８１の左入口８１ｂから左干渉型消音器７３Ｂの上流側に直接伝えられた吸気音に干渉位置Ｐ２で干渉する。
【００６２】
ここで、左干渉型消音器７３Ｂで逆向きに変えられた吸気音（以下、逆向きの吸気音という）は、干渉位置Ｐ２において、サイレンサ８１の左入口８１ｂから左干渉型消音器７３Ｂの上流側に直接伝えられた吸気音に対して周波数の位相が反転されている。
【００６３】
すなわち、一対の干渉型消音器７３Ａ，７３Ｂは、干渉位置Ｐ１，Ｐ２において逆向きの吸気音が、上流側に直接導かれた吸気音に対して周波数の位相が反転するように形成されている。
具体的には、一対の干渉型消音器７３Ａ，７３Ｂは、各干渉型消音器７３Ａ，７３Ｂの全長Ｌ１を調整することにより、逆向きの吸気音の位相を、上流側に直接導かれた吸気音に対して反転させるように形成されている。
このように、干渉位置Ｐ１，Ｐ２において、位相が反転された逆向きの吸気音を、上流側に直接導かれた吸気音に干渉させることで、サイレンサ８１の右入口８１ａおよび左入口８１ｂから伝えられた吸気音を低減できる。
【００６４】
ところで、一対の干渉型消音器７３Ａ，７３Ｂとしてサイドブランチが用いられている。
一対の干渉型消音器（サイドブランチ）７３Ａ，７３Ｂは、音波を分岐させ、分岐させた音波を分岐前の音波と干渉させて吸気音を低減させるもので、その特性上、特定の周波数帯域を減衰させることが可能である。
よって、エンジン２３の駆動時に吸気脈動や衝撃波にともなって発生する吸気音のうち、音圧の高い吸気音に合わせて調整することで、吸気音を効率よく充分に低減することができる。
【００６５】
ここで、右干渉型消音器７３Ａおよび左干渉型消音器７３Ｂを各々平面視略Ｌ字状に形成した理由について詳しく説明する。
すなわち、図３、図５に示すように、一対の干渉型消音器（サイドブランチ）７３Ａ，７３Ｂは、音波を分岐させるための管であり、その構造上、形状の選択に自由度を持たせることが可能である。
例えば、一対の干渉型消音器７３Ａ，７３Ｂの形状を、配置箇所に合わせて直線状やＬ字状などに形成することが可能である。
【００６６】
一方、船外機１０は、通常、エンジンカバー２４の上部２４ａとスロットルボディ４２との間、すなわちスロットルボディ４２の上両側に空き空間（デッドスペース）７９が存在する。
この空き空間７９は、平面視略矩形状に形成されている。
空き空間７９は、最大長さ寸法が一対の干渉型消音器７３Ａ，７３Ｂの全長Ｌ１（図７参照）より小さい。
このため、一対の干渉型消音器７３Ａ，７３Ｂを直線状に形成した場合、空き空間７９に配置することは難しい。
【００６７】
そこで、一対の干渉型消音器７３Ａ，７３Ｂを各々略Ｌ字状に形成して、各々の干渉型消音器７３Ａ，７３Ｂの外形寸法Ｌ２を小さく抑えるようにした（すなわち、外形を小さくまとめるようにした）。
これにより、一対の干渉型消音器７３Ａ，７３Ｂの外形寸法Ｌ２を、空き空間７９の最大長さ寸法より小さく抑えることができる。
【００６８】
さらに、一対の干渉型消音器７３Ａ，７３Ｂは一体に形成されている。
具体的には、右干渉型消音器７３Ａの右平行中空部７５および左干渉型消音器７３Ｂの左平行中空部７７が互いに平行に接触された状態で一体に形成されている。
よって、一対の干渉型消音器７３Ａ，７３Ｂが平面視略Ｔ字状に形成されている。
【００６９】
これにより、右平行中空部７５および左平行中空部７７は、幅寸法Ｗを小さく抑えることができる。
このように、一対の干渉型消音器７３Ａ，７３Ｂは、外形寸法Ｌ２が小さく抑えられ（すなわち、外形が小さくまとめられ）、かつ、右平行中空部７５および左平行中空部７７の幅寸法Ｗが小さく抑えられている。
【００７０】
よって、一対の干渉型消音器７３Ａ，７３Ｂをスロットルボディ４２の上両側に設けることで、一対の干渉型消音器７３Ａ，７３Ｂを空き空間７９を利用して配置できる。
これにより、一対の干渉型消音器７３Ａ，７３Ｂを設けるための空間を、エンジンカバー２４の内部に新たに確保する必要がないので船外機１０の小型化を図ることができる。
【００７１】
サイレンサ８１は、ベルトカバー５５の後部５５ａおよびファンカバー５６の後部５６ａで形成された本体部８２と、本体部８２の上方に形成されたカバー部８３とを備えている。
このサイレンサ８１はサイレンサ室８４を備えている。サイレンサ室８４は、サイレンサ下半室８４ａおよびサイレンサ上半室８４ｂを備えている。
サイレンサ上半室８４ｂおよびサイレンサ下半室８４ａは、右開口８５および左開口８６で連通されている。
【００７２】
図６、図７に示すように、サイレンサ８１は、右吸気通路７１Ａの途中に連通された右入口８１ａと、左吸気通路７１Ｂの途中に連通された左入口８１ｂと、下流側吸気通路７１Ｃに連通された出口８１ｃとを有する。
このサイレンサ８１は、サイレンサ室８４が出口８１ｃおよび下流側吸気通路７１Ｃを介してスロットルボディ４２に連通されている。
【００７３】
ここで、右吸気通路７１Ａから右入口８１ａに矢印（実線で示す）の如く導かれた空気は、右入口８１ａからサイレンサ上半室８４ｂに矢印の如く導かれる。
以下、図中において空気の流れる方向を実線の矢印で示す。
【００７４】
サイレンサ上半室８４ｂに導かれた空気は、右開口８５（図５参照）を経てサイレンサ下半室８４ａに矢印の如く導かれる。
このように、右吸気通路７１Ａからサイレンサ室８４（すなわち、サイレンサ上半室８４ｂおよびサイレンサ下半室８４ａ）に空気を導くことにより、導かれた空気がサイレンサ室８４で膨張して流速が遅くなる。
サイレンサ下半室８４ａに導かれた空気は出口８１ｃおよび下流側吸気通路７１Ｃを経てスロットルボディ４２に矢印の如く導かれる。
【００７５】
同様に、左吸気通路７１Ｂから左入口８１ｂに矢印の如く導かれた空気は、左入口８１ｂからサイレンサ上半室８４ｂに矢印の如く導かれる。
サイレンサ上半室８４ｂに導かれた空気は、左開口８６を経てサイレンサ下半室８４ａに矢印の如く導かれる。
【００７６】
このように、左吸気通路７１Ｂからサイレンサ室８４に空気を導くことにより、導かれた空気がサイレンサ室８４で膨張して流速が遅くなる。
サイレンサ下半室８４ａに導かれた空気は、出口８１ｃおよび下流側吸気通路７１Ｃを経てスロットルボディ４２に矢印の如く導かれる。
【００７７】
このスロットルボディ４２はエンジン２３の燃焼室に連通されている。
よって、右吸気通路７１Ａや左吸気通路７１Ｂからサイレンサ室８４に空気を導いて、サイレンサ室８４で空気を膨張させることで、エンジン２３の駆動時に吸気脈動や衝撃波にともなって発生した吸気音の音圧を低減できる。
【００７８】
つぎに、エンジンカバー２４の外部３５から吸い込んだ空気をスロットルボディ４２に導く例を図８〜図９に基づいて説明する。
なお、図８〜図９において空気の流れ方向を矢印（実線）で示す。
【００７９】
図８（ａ）に示すように、エンジン２３を駆動することにより、エンジンカバー２４の右吸気開口部２６Ａからエアガイド６１の右側部に向けて空気が矢印ＡＲの如く導かれる。
同時に、エンジンカバー２４の左吸気開口部２６Ｂからエアガイド６１の左側部に向けて空気が矢印ＡＬの如く導かれる。
以下、右吸気開口部２６Ａから矢印ＡＲの如く導かれた空気の流れについて詳しく説明する。
【００８０】
右吸気開口部２６Ａから吸い込まれた空気が、複数の右ガイドプレート６５を経てエンジンカバー２４内の右吸気通路７１Ａに導かれる。
右吸気通路７１Ａに導かれた空気は、吸気ガイド部６４内に向けて矢印ＢＲの如く下向きに導かれる。
【００８１】
図８（ｂ）に示すように、吸気ガイド部６４（図８（ａ）参照）内に導かれた空気が、案内口８７を経て右サイドガイド部８８に向けて横向きに矢印ＣＲの如く導かれる。
右サイドガイド部８８に導かれた空気は、右サイドガイド部８８を経てサイレンサ８１の右入口８１ａを経てサイレンサ室８４のサイレンサ上半室８４ｂに矢印ＤＲの如く導かれる。
図９（ａ）に示すように、サイレンサ上半室８４ｂに導かれた空気は、サイレンサ８１の右開口８５を経てサイレンサ下半室８４ａ（図９（ｂ）参照）に矢印ＥＲの如く導かれる。
【００８２】
図９（ｂ）に示すように、サイレンサ下半室８４ａに導かれた空気は、サイレンサ室８４の出口８１ｃに向けて矢印ＦＲの如く導かれる。
サイレンサ室８４の出口８１ｃまで導かれた空気は、下流側吸気通路７１Ｃからスロットルボディ４２に矢印ＧＲの如く導かれ、さらにスロットルボディ４２を経てエンジン２３の燃焼室に導かれる。
【００８３】
図８（ａ）に戻って、左吸気開口部２６Ｂから矢印ＡＬの如く導かれた空気は、右吸気開口部２６Ａから矢印ＡＲの如く導かれた空気と同様に、左吸気通路７１Ｂに矢印ＢＬの如く下向きに導かれる。
図８（ｂ）〜図９（ａ），（ｂ）に示すように、左吸気通路７１Ｂに導かれた空気は、右吸気通路７１Ａに導かれた空気と同様に、矢印ＣＬ、矢印ＤＬ、矢印ＥＬ、矢印ＦＬおよび矢印ＧＬの如くスロットルボディ４２を経てエンジン２３の燃焼室に導かれる。
【００８４】
ついで、エンジン２３の駆動時に吸気脈動や衝撃波にともなって発生した吸気音をサイレンサ８１や干渉型消音器７３で低減する例を図１０に基づいて説明する。
なお、図１０において吸気音の伝達方向を矢印（破線）で示す。
【００８５】
図１０（ａ）に示すように、エンジン２３の駆動時に吸気脈動や衝撃波にともなって吸気音が発生する。
発生した吸気音は、スロットルボディ４２を経てサイレンサ８１のサイレンサ下半室８４ａに向けて矢印Ｈの如く伝えられる。
【００８６】
サイレンサ下半室８４ａに向けて伝えられた吸気音は、サイレンサ下半室８４ａの右側に矢印ＩＲの如く伝えられ、かつ、サイレンサ下半室８４ａの左側に矢印ＩＬの如く伝えられる。
以下、サイレンサ下半室８４ａの右側に矢印ＩＲの如く伝えられた吸気音について詳しく説明する。
【００８７】
図１０（ｂ）に示すように、サイレンサ下半室８４ａ（図１０（ａ）参照）は、右開口８５および左開口８６を介してサイレンサ上半室８４ｂに連通されている。
ここで、サイレンサ８１のサイレンサ室８４（サイレンサ下半室８４ａおよびサイレンサ上半室８４ｂ）に導かれた空気は、膨張して流速が遅くなる。
サイレンサ室８４に伝えられた吸気音の音圧が低下し、吸気音が減衰されて低減する。
【００８８】
サイレンサ８１で減衰された吸気音は、サイレンサ８１の右入口８１ａから右吸気通路７１Ａの右サイドガイド部８８に矢印ＪＲの如く伝えられる。
右吸気通路７１Ａの右サイドガイド部８８に伝えられた吸気音は、サイドガイド部８８を経て右干渉型消音器７３Ａに伝えられる。
【００８９】
右干渉型消音器７３Ａに伝えられた吸気音は、右直交中空部７４の右対向端部７４ａを経て右直交中空部７４および右平行中空部７５に矢印ＫＲの如く伝えられる。
右平行中空部７５に伝えられた吸気音は、右前端部７５ａで伝えられる方向が矢印ＬＲの如く逆向きに変えられる。
逆向きに変えられた吸気音は、サイレンサ８１の右入口８１ａから右干渉型消音器７３Ａの上流側に矢印ＭＲの如く直接伝えられた吸気音に干渉位置Ｐ１で干渉する。
【００９０】
ここで、右干渉型消音器７３Ａで逆向きに変えられた吸気音（以下、逆向きの吸気音という）は、干渉位置Ｐ１において、サイレンサ８１の右入口８１ａから右干渉型消音器７３Ａの上流側に直接導かれた吸気音に対して周波数の位相が反転されている。
これにより、干渉位置Ｐ１において、位相が反転された逆向きの吸気音を、上流側に直接導かれた吸気音に干渉させることで、サイレンサ８１の右入口８１ａから伝えられた吸気音を低減することができる。
【００９１】
図１０（ａ），（ｂ）に戻って、サイレンサ下半室８４ａの左側に矢印ＩＬの如く伝えられた吸気音は、サイレンサ下半室８４ａの右側に矢印ＩＲの如く伝えられた吸気音と同様に、左干渉型消音器７３Ｂに矢印の如く導かれて位相が反転される。
【００９２】
よって、左干渉型消音器７３Ｂで位相が反転された吸気音を、サイレンサ８１の左入口８１ｂから左干渉型消音器７３Ｂの上流側に直接導かれた吸気音に、干渉位置Ｐ２において干渉させることができる。
このように、上流側に直接導かれた吸気音に反転された吸気音を干渉位置Ｐ２において干渉させることで、サイレンサ８１の左入口８１ｂから伝えられた吸気音を低減することができる。
【００９３】
ここで、右干渉型消音器７３Ａおよび左干渉型消音器７３Ｂは、その特性上、特定の周波数帯域を減衰させることが可能である。
よって、右吸気通路７１Ａおよび左吸気通路７１Ｂの途中に、右干渉型消音器７３Ａおよび左干渉型消音器７３Ｂを設けることで、音圧の高い吸気音を減衰することが可能になり、吸気音を効率よく充分に低減できる。
【００９４】
このように、右吸気通路７１Ａおよび左吸気通路７１Ｂの途中に、サイレンサ８１に加えて右干渉型消音器７３Ａおよび左干渉型消音器７３Ｂを設けた。
これにより、エンジン２３の駆動時に吸気脈動や衝撃波にともなって発生した吸気音を充分に好適に低減できる。
【００９５】
なお、本発明に係る船外機の吸気装置は、前述した実施例に限定されるものではなく適宜変更、改良などが可能である。
例えば、前記実施例で示した船外機１０、エンジン２３、エンジンカバー２４、左右の吸気開口部２６Ｂ，２６Ａ、スロットルボディ４２、左右の吸気通路７１Ｂ，７１Ａおよび左右の干渉型消音器７３Ｂ，７３Ａなどの形状や構成は例示したものに限定するものではなく適宜変更が可能である。
【産業上の利用可能性】
【００９６】
本発明は、エンジンカバーの内部にエンジンが設けられ、エンジンカバーの内部に吸い込んだ空気をスロットルボディに導入可能な船外機の吸気装置への適用に好適である。
【符号の説明】
【００９７】
１０…船外機、５２…船外機の吸気装置、２３…エンジン、２４…エンジンカバー、２６Ａ（２６）…右吸気開口部（開口部）、２６Ｂ（２６）…左吸気開口部（開口部）、４２…スロットルボディ、７１Ａ（７１）…右吸気通路（吸気通路）、７１Ｂ（７１）…左吸気通路（吸気通路）、７３Ａ（７３）…右干渉型消音器（干渉型消音器）、７３Ｂ（７３）…左干渉型消音器（干渉型消音器）、７４…右直交中空部（一方の直交中空部）、７５…右平行中空部（一方の平行中空部）、７６…左直交中空部（他方の直交中空部）、７７…左平行中空部（他方の平行中空部）。
【図１】
0005752010.tif 000002
【図２】
0005752010.tif 000003
【図３】
0005752010.tif 000004
【図４】
0005752010.tif 000005
【図５】
0005752010.tif 000006
【図６】
0005752010.tif 000007
【図７】
0005752010.tif 000008
【図８】
0005752010.tif 000009
【図９】
0005752010.tif 000010
【図１０】
0005752010.tif 000011